(57)【特許請求の範囲】
【請求項１】
用紙を所定の用紙搬送方向にガイドする用紙搬送経路が設けられたガイド部材と、
前記用紙搬送経路に沿って前記ガイド部材に回転可能に設けられ、前記用紙搬送経路の上流側に配置される第１ローラおよび前記用紙搬送経路の下流側に配置される第２ローラと、
前記第１ローラおよび第２ローラを回転駆動する駆動モータとを有する読取用の用紙搬送装置において、
前記第１ローラのローラ軸に固着された第１被動ギアと、
前記第２ローラのローラ軸に固着された第２被動ギアと、
前記駆動モータからの駆動力を前記下流側に配される第２被動ギア側から前記上流側に配される第１被動ギア側に連続的に伝達する第１ギア列と、
前記駆動モータからの駆動力を前記上流側に配される第１被動ギア側から前記下流側に配される第２被動ギア側に連続的に伝達する第２ギア列と、
を備え、
前記第１ギア列は前記駆動モータの一方向への回転に対応して公転する遊星ギアを介して前記第２被動ギアおよび第１被動ギアに駆動連結され、
前記第２ギア列は前記駆動モータの他方向への回転に対応して公転する前記遊星ギアを介して前記第１被動ギアおよび第２被動ギアに駆動連結され、
前記駆動モータの他方向への回転に基づき前記上流側から下流側へ駆動力を伝達する前記第２ギア列を介して前記第１被動ギアおよび第２被動ギアが駆動された際の用紙搬送量は、前記駆動モータの一方向への回転に基づき、前記下流側から上流側へ駆動力を伝達する前記第１ギア列を介して前記第２被動ギアおよび第１被動ギアが駆動された際の用紙搬送量よりも大きくなるように設定されていることを特徴とする用紙搬送装置。
【請求項２】
前記第１ローラは給紙ローラであり、前記第２ローラは排紙ローラであることを特徴とする請求項１に記載の用紙搬送装置。
【請求項３】
前記用紙搬送経路上で、ガイド部材には前記第１ローラと第２ローラとの間に画像読取スキャナが配置されていることを特徴とする請求項１又は請求項２に記載の用紙搬送装置。
【発明の詳細な説明】
【０００１】
【発明の属する技術分野】
本発明は、ファクシミリ装置などに用いられる読取用の用紙搬送装置に係わり、特に駆動モータからの駆動伝達経路を、用紙搬送方向に対し下流側のローラから優先して駆動力を伝達することにより、バックラッシュの重畳による用紙搬送精度の劣化を良好に防止可能な用紙搬送装置に関するものである。
【０００２】
【従来の技術】
従来より、ファクシミリ装置等では、各種情報が記録された原稿のデータを読み取る場合や、記録用紙等に印刷情報などを印字する場合などには、用紙搬送装置により用紙を搬送しながら行っている。これらの用紙搬送装置の内には用紙を良好に搬送するために、用紙搬送ローラを複数設けた装置も存在する。このように、用紙搬送ローラを複数設けた場合、用紙搬送ローラを駆動させるためにそれぞれ専用の駆動モータを設けることが考えられる。しかし、駆動モータの個数を増加させると、装置全体の重量が増加したり、装置が大型化したりするという悪影響を及ぼすばかりではなく、コスト面においても好都合ではない。このような事情に基づき、駆動モータの駆動力を複数のギアを介してそれぞれの用紙搬送ローラに伝達する構成をとるのが一般的である。
【０００３】
従来のこのような用紙搬送装置を用いた読取装置の一例を図６に示す。図６（ａ）は画像読取装置を用紙搬送方向に沿って切断した側面断面図であり、また、図６（ｂ）は、図６（ａ）に示す各ローラに固着されたローラギアと、それらのローラギアに駆動力を伝達している伝達ギアとの連結ギア群、およびその駆動伝達経路を示したものである。
【０００４】
図６（ａ）に示される読取装置は、原稿分離ローラ１０１、原稿給紙ローラ１０３、原稿排紙ローラ１０５からなるローラ群と、用紙搬送経路を形成するガイド部材１０４と、読取原稿の読み取りを行う読取部１１０等を備えており、読取部１１０は、ＣＩＳ（Contact  Image  Sensor）からなる画像読取スキャナ１０７および原稿押圧部材１０９等から構成されている。尚、原稿給紙ローラ１０３は、原稿給紙下ローラ１０３ａと原稿給紙上ローラ１０３ｂとで、同様に、原稿排紙ローラ１０５は、原稿排紙下ローラ１０５ａと原稿排紙上ローラ１０５ｂとで上下一対に配置されている。
【０００５】
このように構成された読取装置では、読取原稿を原稿分離ローラ１０１および原稿給紙ローラ１０３を介して読取部１１０へと搬送している。読取部１１０へと搬送された読取原稿は、原稿押圧部材１０９により画像読取スキャナ１０７に押圧されながら、画像読取スキャナ１０７により読取原稿の幅方向に１ライン毎の画像読み取りが行われる。そして、読取原稿の画像読み取りが終了するまで原稿排紙ローラ１０５によって読取原稿の搬送が順次行われる。ここで、画像読み取りを良好に行うためには、画像読取スキャナ１０７に読取原稿を密着させることが不可欠であり、そのために、原稿押圧部材１０９により読取原稿を押圧しながら、それぞれ上下一対に設けられた原稿給紙ローラ１０３と原稿排紙ローラ１０５とで挟持することで発生する張力を利用して読取原稿の皺や浮きを防止している。
【０００６】
また、読取装置のローラ群は、図６（ｂ）に示すような駆動伝達経路を有する連結ギア群を介して駆動される。これらの連結ギア群は、駆動モータ１１１のモータ軸に固着された駆動モータギア１１１ｇ、原稿排紙上ローラ１０５ｂに固着された原稿排紙ローラギア１０５ｇ、原稿給紙上ローラ１０３ｂに固着された原稿給紙ローラギア１０３ｇ、原稿分離ローラ１０１に固着された原稿分離ローラギア１０１ｇの他、駆動モータギア１１１ｇと原稿分離ローラギア１０１ｇ間の駆動伝達を行う第１伝達ギア列１１３ｇ、原稿給紙ローラギア１０３ｇと原稿排紙ローラギア１０５ｇ間の駆動伝達を行う第２伝達ギア列１１５ｇから構成されている。このように構成された連結ギア群により、駆動モータ１１１から与えられる一方向（図６中、時計方向）への駆動力は、各ギアの噛合わせによって、図６の太線に示されるような駆動伝達が行われるとともに、各ギアは図６の矢印に示す方向へと回転する。このとき、各ローラギアに設けられたローラは用紙搬送方向への駆動力を受け、それにより読取原稿を所定の方向へ搬送している。尚、原稿給紙ローラ１０３と原稿排紙ローラ１０５間で読取原稿に一定の張力を発生させるために、原稿排紙ローラ１０５の用紙搬送量は、原稿給紙ローラ１０３の用紙搬送量以上となるように上記ローラ群のローラ径が設定されている。
【０００７】
【発明が解決しようとする課題】
しかしながら、従来の用紙搬送装置において、読取原稿は原稿給紙ローラ１０３と原稿排紙ローラ１０５との間で一定の張力を保たれながら搬送されているため、読取原稿の後端が原稿給紙ローラ１０３による挟持を脱した瞬間に、読取原稿はその張力により瞬時に原稿排紙ローラ１０５側に巻き取られてしまい、用紙搬送精度を悪化させるという問題があった。また、上記用紙搬送精度の悪化に起因して、画像読取スキャナ１０７を介して得られる読取画像データの品質にも悪影響が生じていた。
【０００８】
一方、読取原稿の後端が原稿給紙ローラ１０３による挟持を脱した瞬間に搬送される過搬送量は、原稿排紙ローラギア１０５ｇが有するバックラッシュ（遊び量）により左右されている。このバックラッシュは、ギア同士の組み合わせにより生じるもので、ギア同士を連結してできるギアトレイン（駆動伝達経路）が、長いほど、また駆動伝達経路の下流側にいくほど大きなバックラッシュを生じる。このため、読取原稿の過搬送量を最小限に押さえ、用紙搬送精度を向上させるためにはギアトレインを短くする必要があるが、用紙搬送装置の周辺機構との間で設計上の制約を受ける場合が多く、これによりギアトレインを短くすることは困難を伴うのが実情であった。
【０００９】
また、画像読み取りの際に、複数の解像度を設定可能な装置においては、その解像度に対応した用紙搬送速度が必要であるが、このためには駆動モータの制御を複雑化させたり、ギアトレインを長くしたりする必要が生じるため、これらの問題の対応は容易ではなかった。
【００１０】
本発明は、上記の問題点に鑑みてなされたものであり、駆動モータからの駆動伝達経路を、用紙搬送方向に対し下流側のローラから優先して駆動力を伝達することにより、バックラッシュの重畳による用紙搬送精度の劣化を低減させた信頼性の高い用紙搬送装置を提供することを目的としている。
【００１１】
【課題を解決するための手段】
上記目的を達成するために、請求項１記載の用紙搬送装置は、用紙を所定の用紙搬送方向にガイドする用紙搬送経路が設けられたガイド部材と、用紙搬送経路に沿ってガイド部材に回転可能に設けられ、用紙搬送経路の上流側に配置される第１ローラおよび用紙搬送経路の下流側に配置される第２ローラと、第１ローラおよび第２ローラを回転駆動する駆動モータとを有する用紙搬送装置において、第１ローラのローラ軸に固着された第１被動ギアと、第２ローラのローラ軸に固着された第２被動ギアと、駆動モータからの駆動力を第２被動ギア側から第１被動ギア側に連続的に伝達する第１ギア列と、駆動モータからの駆動力を第１被動ギア側から第２被動ギア側に連続的に伝達する第２ギア列と、を備え、第１ギア列は駆動モータの一方向への回転に対応して第２被動ギアおよび第１被動ギアに駆動連結され、第２ギア列は駆動モータの他方向への回転に対応して第１被動ギアおよび第２被動ギアに駆動連結され、駆動モータの他方向への回転に基づき第２ギア列を介して第１被動ギアおよび第２被動ギアが駆動された際の用紙搬送量は、駆動モータの一方向への回転に基づき、第１ギア列を介して第２被動ギアおよび第１被動ギアが駆動された際の用紙搬送量よりも大きくなるように設定されているものである。
【００１２】
この用紙搬送装置によれば、駆動モータからの駆動力を伝達する駆動伝達経路を、第一ギア列を介して、用紙搬送方向の下流側に配置される第２ローラ側から、用紙搬送方向の上流側に配置される第１ローラ側へ伝達するように構成したので、駆動モータを複数設けることなく、かつ簡単な構成により、駆動モータと第２ローラ間に構成されるギアトレインを短くすることが可能となる。このため、第２ローラに重畳されるバックラッシュを最小限に抑え、第１ローラと第２ローラ間に生じている用紙の張力が失われた瞬間に、第２ローラ側へ搬送される過搬送量は最小限に防ぐことができる。したがって、駆動モータの増設などによる装置の大型化、複雑化を招くことなく、効果的に用紙の搬送精度を向上させることが可能となる。
【００１３】
【００１４】
また、この用紙搬送装置によれば、さらに、駆動モータの回転方向に対応して、駆動モータからの駆動力を伝達する駆動伝達経路を、用紙搬送方向の下流側に配置される第２ローラ側から、用紙搬送方向の上流側に配置される第１ローラ側へ伝達する駆動伝達経路と、第１ローラ側から第２ローラ側へ伝達する駆動伝達経路とを切り替えることが可能となる。このため、必要に応じてバックラッシュを最小限に抑えるローラを選択することができ、目的毎に対応した用紙の搬送が可能となる。また、駆動伝達経路を切り替えるために、モータを増設する必要がなく、装置の大型化、複雑化を招くことがない。
【００１５】
【００１６】
また、この用紙搬送装置によれば、さらに、駆動モータを他方向に駆動させた場合の用紙搬送量は、駆動モータを一方向に駆動させた場合の用紙搬送量よりも大きくなるように設定されている。このため、駆動モータを一方向に駆動させ、低速で精度のよい用紙搬送を行い、通常時には、駆動モータを他方向に駆動させて、高速の用紙搬送を行うことにより、必要に応じた用紙搬送が可能である。例えば、２種類の解像度を有する画像読取装置に適用された場合には、駆動モータの回転方向の切り替えに基づき、高解像度で読み取る場合には、駆動モータを一方向に駆動させ、精度のよい用紙搬送を行い、通常時には、駆動モータを他方向に駆動させて、高速読み取りを行うことが可能となる。また、駆動モータの回転速度を多段階に切り替えることなく、用紙搬送量を切り替えることが可能なので、駆動モータにかかる負担を減少させることや、駆動モータの制御を容易にすることが可能となる。
【００１７】
また、請求項２に記載の用紙搬送装置は、請求項１に記載の用紙搬送装置において、第１ローラは給紙ローラであり、第２ローラは排紙ローラであることを特徴としたものである。
【００１８】
この用紙搬送装置によれば、請求項１に記載の用紙搬送装置の効果に加えさらに、用紙の後端が給紙ローラを脱した瞬間に、排紙ローラ側に搬送される過搬送量を好適に抑えられるので、安定した給紙および排紙を可能とするとともに、用紙搬送精度を向上することが可能となる。
【００１９】
また、請求項３に記載の用紙搬送装置は、請求項１又は請求項２に記載の用紙搬送装置において、用紙搬送経路上で、ガイド部材には第１ローラと第２ローラとの間に画像読取スキャナが配置されているものである。
【００２０】
この用紙搬送装置によれば、請求項１又は請求項２に記載の用紙搬送装置の効果に加えさらに、第１ローラと第２ローラとの間に配置された画像読取スキャナを介して読取原稿の画像を読み取る場合、読取原稿が高精度で搬送されるため、画像読取スキャナを介して読み取られる読取画像データの品質を向上させることができる。
【００２１】
【発明の実施の形態】
以下、本発明の好ましい実施の形態を、図面を参照しつつ具体的に説明する。
【００２２】
図１は、本発明に関する第一実施形態の用紙搬送装置を備えたファクシミリ装置１の外観斜視図であって、このファクシミリ装置１には、パネルカバー７および本体カバー５が、本体筐体３に対してともに開閉自在に取り付けられている。パネルカバー７は、各種動作を指示する複数のキースイッチや、ファクシミリ装置１の動作状態等を表示する液晶表示部から構成されており、本体カバー５には、被記録媒体としての記録用紙１４を複数保持可能な用紙トレイ１３、記録された記録用紙１４が排紙される用紙排紙口１５、および本体カバー５と本体筐体３との係合を解除する本体カバー開放釦１７などが備えられている。また、本体筐体３には、各種情報が記録された読取原稿を載置する原稿台９、読み取られた原稿を排紙する原稿排紙口１１などを備えている。
【００２３】
図２は、ファクシミリ装置１の中央部を用紙搬送方向に沿って切断した時の断面概略図である。ファクシミリ装置１は、受信したデータまたは記録すべき情報を印字する記録装置２０と、読取原稿の幅方向を１ライン毎に読み取る読取装置１８とを備えている。
【００２４】
記録装置２０は、インクリボン３１を供給するインクリボンカートリッジ３９、被記録媒体である記録用紙１４の幅方向に１ライン毎の印字を行う印字ヘッド３５および記録用紙１４を搬送する用紙搬送部４０などを備えており、用紙搬送部４０は、用紙給紙ローラ４３、用紙押圧ローラ４５および用紙排紙ローラ４７等から構成されており、記録用紙１４を記録用紙搬送路１７に沿って搬送している。
【００２５】
このように構成された記録装置２０は、用紙トレイ１３に載置された記録用紙１４を、用紙給紙ローラ４３により一枚毎にファクシミリ装置１内部へ搬送し、印字ヘッド３５と記録用紙１４の中間にインクリボン３１を介した状態で用紙押圧ローラ４５により印字ヘッド３５に押圧しながら、後述する読取装置１８で読み取られたデータなどを記録用紙１４の幅方向に１ライン毎の印字を行っている。そして、印字された記録用紙１４は、用紙排紙ローラ４７により、用紙排紙口１５からファクシミリ装置１の外部へと搬送され、用紙トレイ１３と一体形成された用紙排紙台１６に載置されている。
【００２６】
また、読取装置１８は、原稿分離ローラ２３、原稿給紙ローラ３０、原稿排紙ローラ２９からなるローラ群と、用紙搬送経路を形成するガイド部材３２と、読取原稿の読み取りを行う読取部１９等を備えており、読取原稿を読取原稿搬送路１０に沿って搬送しながら画像読み取りを行う。また、読取部１９は、ＣＩＳ（Contact  Image  Sensor）からなる画像読取スキャナ２７および原稿押圧部材２５等から構成されている。尚、原稿給紙ローラ３０は、原稿給紙下ローラ３０ａと原稿給紙上ローラ３０ｂ、同様に、原稿排紙ローラ２９は、原稿排紙下ローラ２９ａと原稿排紙上ローラ２９ｂとで上下一対に配置されているため、読取原稿を挟持しながら搬送することができる。
【００２７】
このように構成された読取装置１８は、原稿台９に載置された読取原稿を、原稿分離ローラ２３と、原稿分離ローラ２３を圧接するように配置された分離片２４とで一枚ずつに分離し、原稿給紙ローラ３０を介して読取部１９へと搬送している。読取部１９へと搬送された読取原稿は、原稿押圧部材２５により画像読取スキャナ２７に押圧されながら、画像読取スキャナ２７により読取原稿の幅方向に１ライン毎の画像読み取りが行われる。そして、画像読み取りが行われた読取原稿は、原稿排紙ローラ２９により原稿排紙口１１からファクシミリ装置１の外部へと搬送される。ここで、画像読み取りを良好に行うためには、画像読取スキャナ２７に読取原稿を密着させることが不可欠であり、そのために、原稿押圧部材２５により読取原稿を押圧しながら、それぞれ上下一対に設けられた原稿給紙ローラ３０と原稿排紙ローラ２９とで挟持することで発生する張力とを利用して読取原稿の皺や浮きを防止している。ここで、原稿給紙下ローラ３０ａおよび原稿排紙下ローラ２９ａは、読取原稿搬送路１０を形成しているガイド部材３２上に配置されている。尚、原稿押圧部材２５の押圧面は、白色で構成されており、読取原稿の先端検出および白色レベルの基準色として用いられている。
【００２８】
次に、以上のように構成された第一実施形態における読取装置１８に用いられる用紙搬送装置について図３を参照しながら詳細に説明する。図３（ａ）は、読取装置１８を用紙搬送方向に沿って切断した側面断面図であり、また、図３（ｂ）は図３（ａ）に示す各ローラに固着されたローラギアと、それらのローラギアに駆動力を伝達している伝達ギアとの連結ギア群、およびその駆動伝達経路を示したものである。
【００２９】
第一実施形態における読取装置１８のローラ群は、図３（ｂ）に示すような駆動伝達経路を有する連結ギア群を介して駆動される。これらの連結ギア群は、駆動モータ５０のモータ軸に固着された駆動モータギア５０ｇ、原稿排紙上ローラ２９ｂに固着された原稿排紙ローラギア２９ｇ、原稿給紙上ローラ３０ｂに固着された原稿給紙ローラギア３０ｇ、原稿分離ローラ２３に固着された原稿分離ローラギア２３ｇの他、駆動モータギア５０ｇと原稿排紙ローラギア２９ｇ間の駆動伝達を行う第１伝達ギア列４９ｇ、原稿排紙ローラギア２９ｇと原稿給紙ローラギア３０ｇ間の駆動伝達を行う第２伝達ギア列４８ｇから構成されている。このように構成された連結ギア群により、駆動モータ５０から与えられる一方向（図３中、反時計方向）への駆動力は、各ギアの噛合わせによって、図３の太線に示されるような駆動伝達がされるとともに、各ギアは図３の矢印に示す方向へと回転する。このとき、各ローラギアに設けられたローラは用紙搬送方向への駆動力を受け、それにより読取原稿を所定の方向へ搬送している。尚、原稿給紙ローラ３０と原稿排紙ローラ２９間で読取原稿に一定の張力を発生させるために、原稿排紙ローラ２９の用紙搬送量は、原稿給紙ローラ３０の用紙搬送量以上になるように上記ローラ群のローラ径が設定されている。
【００３０】
以上説明した連結ギア群、およびそれによる駆動伝達経路は、用紙搬送方向の下流側に配置される原稿排紙ローラ２９側から、用紙搬送方向の上流側に配置される原稿給紙ローラ３０側へ伝達するように構成されている。このため、駆動モータギア５０ｇと原稿排紙ローラ２９ｇ間にできるギアトレインは、駆動モータギア５０ｇから原稿給紙ローラギア３０ｇを中継していないため、非常に短く抑えることができる。その結果、原稿排紙ローラ２９に重畳されるバックラッシュは必要最小限に留めることができるので、読取原稿の後端が原稿給紙ローラ３０の挟持を脱した瞬間に原稿排紙ローラ２９側に巻き取られる過搬送量を好適に抑え、安定した用紙搬送が可能となる。
【００３１】
次に、第二実施形態として、駆動モータ５０からの駆動伝達経路を切り替え可能な構成を用いた連結ギア群の例を、図４および図５を参照しながら詳細に説明する。尚、第二実施形態は、基本的に第一実施形態と同一な構成を有しているため、第二実施形態に特有の構成に主眼を置いて説明することとし、同一部材には同一符号を付するものとする。
【００３２】
図４および図５は、第二実施形態における読取装置１８に用いられる用紙搬送装置を示したものであり、図４（ａ）および図５（ａ）は、読取装置１８を用紙搬送方向に沿って切断した側面断面図である。また、図４（ｂ）は、駆動モータ５０を一方向（図４中、時計方向）に駆動させた状態を示しており、図４（ａ）に示す各ローラに固着されたローラギアと、それらのローラギアに駆動力を伝達している伝達ギアとの連結ギア群、およびその駆動伝達経路を示したものである。同様に、図５（ｂ）は、駆動モータ５０を他方向（図５中、反時計方向）に駆動させた状態を示しており、図５（ａ）に示す各ローラに固着されたローラギアと、それらのローラギアに駆動力を伝達している伝達ギアとの連結ギア群、およびその駆動伝達経路を示したものである。
【００３３】
まず、第二実施形態における読取装置１８のローラ群における駆動モータ５０を一方向（図４中、時計方向）に駆動させた場合を図４を用いて説明する。
【００３４】
駆動モータ５０を一方向（図４中、時計方向）に駆動させた場合、読取装置１８のローラ群は、図４（ｂ）に示すような駆動伝達経路を有する連結ギア群を介して駆動される。これらの連結ギア群は、ローラギア群、伝達ギア群および切替えギア群から構成されており、ローラギア群は駆動モータ５０のモータ軸に固着された駆動モータギア５０ｇ、原稿排紙上ローラ２９ｂに固着された原稿排紙ローラギア２９ｇ、原稿給紙上ローラ３０ｂに固着された原稿給紙ローラギア３０ｇ、原稿分離ローラ２３に固着された原稿分離ローラギア２３ｇを備えている。また、伝達ギア群は原稿排紙ローラギア２９ｇと原稿給紙ローラギア３０ｇ間の駆動伝達を行う第２伝達ギア列４８ｇ、原稿排紙ローラギア２９ｇに噛み合っている第１ギア５３ｇおよび、第２伝達ギア列４８ｇに噛み合っている第２ギア５４ｇを備えている。
【００３５】
さらに、切替えギア群は駆動モータギア５０ｇに噛み合って配置される太陽ギア５１ｇおよび太陽ギア５１ｇに噛み合い太陽ギア５１ｇを中心に回動可能な遊星ギア５２ｇを備えている。
【００３６】
このように、構成された連結ギア群は、駆動モータ５０が一方向（図４中、時計方向）に駆動されたとき、太陽ギア５１ｇに噛み合っている遊星ギア５２ｇが、太陽ギア５１ｇの回動力を受け、太陽ギア５１ｇを中心に時計周りに公転して、第１ギア５３ｇと係合する構成となっている。このように構成された連結ギア群により、駆動モータ５０による駆動力は、各ギアの噛合わせによって、図４の太線に示されるような駆動伝達がされるとともに、各ギアは図４の矢印に示す方向へと回転する。このとき、各ローラギアに設けられたローラは用紙搬送方向への駆動力を受け、それにより読取原稿を用紙搬送方向へ搬送している。
【００３７】
次に、駆動モータ５０を他方向（図５中、反時計方向）に駆動させた場合を図５を用いて説明する。駆動モータ５０を他方向（図５中、反時計方向）に駆動させた場合、太陽ギア５１ｇに噛み合っている遊星ギア５２ｇは、太陽ギア５１ｇの回動力を受け、太陽ギア５１ｇを中心に反時計周りに公転して、第２ギア５４ｇと係合する構成となっている。このように構成された連結ギア群により、駆動モータ５０による駆動力は、各ギアの噛合わせによって、図５の太線に示されるような駆動伝達がされるとともに、各ギアは図５の矢印に示す方向へと回転する。このとき、各ローラギアに設けられたローラは用紙搬送方向への駆動力を受け、それにより読取原稿を用紙搬送方向へ搬送している。
【００３８】
尚、原稿給紙ローラ３０と原稿排紙ローラ２９間で読取原稿に一定の張力を発生させるために、原稿排紙ローラ２９の用紙搬送量は、原稿給紙ローラ３０の用紙搬送量以上になるように上記ローラ群のローラ径が設定されている。また、駆動モータ５０を一方向（図４中、時計方向）に駆動させたときと、他方向（図５中、反時計方向）に駆動させたときの用紙搬送量は、異なるように上記連結ギア群のギア比が設定されている。
【００３９】
以上説明した連結ギア群およびそれによる駆動伝達経路は、駆動モータ５０の駆動方向に応じてその駆動経路を切り替えることが可能である。つまり、駆動モータ５０を一方向（図４中、時計方向）に駆動させた場合は、その駆動伝達経路は用紙搬送方向の下流側に配置される原稿排紙ローラ２９側から、用紙搬送方向上流側に配置される原稿給紙ローラ３０側へ伝達するように構成されている。このため、駆動モータギア５０ｇと原稿排紙ローラギア２９ｇ間にできるギアトレインは駆動モータ５０ｇから原稿給紙ローラギア３０ｇを中継しないため、非常に短く抑えることができる。その結果、原稿排紙ローラ２９に重畳されるバックラッシュは必要最小限に抑えることができるので、読取原稿の後端が原稿給紙ローラ３０の挟持を脱した瞬間に原稿排紙ローラ２９側に巻き取られる過搬送量を好適に抑え、安定した用紙搬送が可能となる。
【００４０】
また、駆動モータ５０を他方向（図５中、反時計方向）に駆動させた場合は、その駆動経路は用紙搬送方向の上流側に配置される原稿給紙ローラ３０側から、用紙搬送方向の下流側に配置される原稿排紙ローラ２９側へ伝達するように構成されている。このとき、読取原稿が搬送される用紙搬送量は、駆動モータ５０を一方向（図４中、時計方向）に駆動させたときの用紙搬送量よりも大きくなるように設定されている。このため、画像読み取りの際に、高解像度で読み取る場合には、駆動モータ５０を一方向（図４中、時計方向）に駆動させ、精度のよい用紙搬送を行い、通常時には、駆動モータ５０を他方向（図５中、反時計方向）に駆動させて、高速読み取りを行うことにより、必要に応じた用紙搬送が可能である。
【００４１】
尚、本発明は前記実施例に限定されるものではなく、本発明の要旨を逸脱しない範囲で種々の改良、変形が可能であることは勿論である。例えば、前記実施形態において、用紙搬送装置を読取装置１８に備えた例をあげたが、記録装置２０のように、良好な用紙搬送が必要とされる装置に搭載することにより、良好な効果が得られることは言うまでもない。
【００４２】
【発明の効果】
以上説明したように、請求項１記載の用紙搬送装置によれば、第一ギア列を介して、駆動モータを複数設けることなく、かつ簡単な構成により、駆動モータと第２ローラ間に構成されるギアトレインを短くすることが可能となる。このため、第２ローラに重畳されるバックラッシュを最小限に抑え、第１ローラと第２ローラ間に生じている用紙の張力が失われた瞬間に、第２ローラ側へ搬送される過搬送量は最小限に防ぐことができる。したがって、駆動モータの増設などによる装置の大型化、複雑化を招くことなく、効果的に用紙の搬送精度を向上させることが可能となる。
【００４３】
また、この用紙搬送装置によれば、さらに、駆動モータの回転方向に対応して、駆動モータからの駆動力を伝達する駆動伝達経路を、用紙搬送方向の下流側に配置される第２ローラ側から、用紙搬送方向の上流側に配置される第１ローラ側へ伝達する駆動伝達経路と、第１ローラ側から第２ローラ側へ伝達する駆動伝達経路とを切り替えることが可能となる。このため、必要に応じてバックラッシュを最小限に抑えるローラを選択することができ、目的毎に対応した用紙の搬送が可能となる。また、駆動伝達経路を切り替えるために、モータを増設する必要がなく、装置の大型化、複雑化を招くことがない。
【００４４】
また、この用紙搬送装置によれば、さらに、駆動モータを他方向に駆動させた場合の用紙搬送量は、駆動モータを一方向に駆動させた場合の用紙搬送量よりも大きくなるように設定されている。このため、駆動モータを一方向に駆動させ、低速で精度のよい用紙搬送を行い、通常時には、駆動モータを他方向に駆動させて、高速の用紙搬送を行うことにより、必要に応じた用紙搬送が可能である。例えば、２種類の解像度を有する画像読取装置に適用された場合には、駆動モータの回転方向の切り替えに基づき、高解像度で読み取る場合には、駆動モータを一方向に駆動させ、精度のよい用紙搬送を行い、通常時には、駆動モータを他方向に駆動させて、高速読み取りを行うことが可能となる。また、駆動モータの回転速度を多段階に切り替えることなく、用紙搬送量を切り替えることが可能なので、駆動モータにかかる負担を減少させることや、駆動モータの制御を容易にすることが可能となる。
【００４５】
また、請求項２に記載の用紙搬送装置によれば、請求項１に記載の用紙搬送装置の効果に加えさらに、用紙の後端が給紙ローラを脱した瞬間に、排紙ローラ側に搬送される過搬送量を好適に抑えられるので、安定した給紙および排紙を可能とするとともに、用紙搬送精度を向上することが可能となる。
【００４６】
さらに、請求項３に記載の用紙搬送装置によれば、請求項１又は請求項２に記載の用紙搬送装置の効果に加えさらに、読取原稿が高精度で搬送されるため、画像読取スキャナを介して読み取られる読取画像データの品質を向上させることができる。
【図面の簡単な説明】
【図１】  第一実施形態に係る用紙搬送装置を備えたファクシミリ装置の外観斜視図である。
【図２】  ファクシミリ装置の概略断面図である。
【図３】  用紙搬送装置の概略断面図である。
【図４】  第二実施形態に係る用紙搬送装置の概略断面図である。
【図５】  用紙搬送装置の概略断面図である。
【図６】  従来の用紙搬送装置の概略断面図である。
【符号の説明】
１      ファクシミリ装置
２７    画像読取スキャナ
２９    原稿排紙ローラ
２９ｇ  原稿排紙ローラギア
３０    原稿給紙ローラ
３０ｇ  原稿給紙ローラギア
３２    ガイド部材
４８ｇ  第２伝達ギア列
４９ｇ  第１伝達ギア列
５０    駆動モータ
【図１】
0004069495.tif 000002
【図２】
0004069495.tif 000003
【図３】
0004069495.tif 000004
【図４】
0004069495.tif 000005
【図５】
0004069495.tif 000006
【図６】
0004069495.tif 000007